(57)【要約】【課題】広い部屋での空気調和機の運転において居室内の温度分布を良化させ、快適空間を実現する空気調和機を提供すること。【解決手段】ファン２５と、ファン２５によって室内空気を吸込む補助吸込口２２ａと吸込んだ空気を吹出す補助吹出口２３ａとを具備した補助機器２１を、空気調和機の室内機１の本体の第１の吸込口３ａに対向するように、着脱自在に取付ける。そして、補助機器２１を室内機１から取外し、室内機１が空調する空間に設置することで、空間の空気を循環させること、室内のすみまで気流を到達することができる。【選択図】図１
2015021639.tif 000002
【特許請求の範囲】
【請求項１】
熱交換器と、送風機と、室内空気を吸込む第１の吸込口および第２の吸込口と、前記熱交換器を介した空気を吹出す吹出口とを備えた室内機と、
補助送風機と、室内空気を吸込む補助吸込口と、前記補助吸込口から吸込んだ空気を吹出す補助吹出口とを備えた補助機器とを有し、
前記補助吸込口が前記第１の吸入口と前記第２の吸込口との間に配置され、前記補助吹出口が前記第１の吸込口に対向して配置されるように、前記補助機器は前記室内機に着脱自在に取付けられることを特徴とする空気調和機。
【請求項２】
補助機器は、前記補助送風機を内蔵する筐体から突出する据付具を備え、前記室内機の前面あるいは上面に着脱自在に取付けられることを特徴とする請求項１記載の空気調和機。
【請求項３】
補助機器が前記室内機に取り付けられた場合に、前記補助吹出口から吹出される空気は、前記第１の吸込口の上方に向けて吹出されることを特徴とする請求項１あるいは２に記載の空気調和機。
【請求項４】
補助機器が前記室内機から取り外され、前記室内機が空調する空間に設置された場合に、前記補助送風機は前記室内機に連動して回転し、前記補助吸込口から吸込んだ空気を前記補助吹出口から吹出すことで、前記空間の空気を循環させることを特徴とする請求項１〜３のいずれか１項に記載の空気調和機。
【請求項５】
据付具は、前記筐体に設けられラッチ機構を備えた軸と軸止されていることを特徴とする請求項２に記載の空気調和機。
【発明の詳細な説明】
【技術分野】
【０００１】
本発明は、室内機に、送風機能を備えた補助機器を搭載した空気調和機に関する。
【背景技術】
【０００２】
従来の空気調和機は、室内機の上面吸込口及び前面吸込口から室内機本体内に配した送風機にて室内空気を取り入れ熱交換器で熱交換を行い、その空気を送風機にて吹出口から吹出すことにより室内の空調を行うものである。このような空気調和機において、空気清浄フィルタなどの付加機能の追加により吸込み能力が低下するのを防止するため、補助送風機を室内機の内部に搭載する機器が考案されている（例えば、特許文献１参照）。
【０００３】
図７は、特許文献１に記載された従来の空気調和機の室内機を示すものである。図７に示すように、室内機３１は、本体ケース３２に設けた吸込口３４及び吹出口３５をつなぐ通風路３７に、熱交換器３９、送風機３８等を配設し、熱交換器３９の空気流入側に、空気清浄フィルタ５６及び補助送風機４８を設け、これら空気清浄フィルタ５６及び補助送風機４８を一体の収納ケース４５に収納している。
【先行技術文献】
【特許文献】
【０００４】
【特許文献１】特開２００４−１５０７１３号公報
【発明の概要】
【発明が解決しようとする課題】
【０００５】
しかしながら、前記従来の構成では、補助送風機４８が、吸込口３４の下流側に設けられているため、吸込み能力を落とさずに吸込み空気のすべてを空気清浄フィルタ５６に通過させるという目的は達成するものの、例えば、背面側の熱交換器と対向する室内機の天部に吸入口を設けることにより、吸込み空気の吸込み量を増やすことが出来ないという課題がある。
【０００６】
本発明は、従来技術の有するこのような問題点に鑑みてなされたものであり、吸込み量の増加を図り、空調能力を高めた空気調和機を提供することを目的としている。
【課題を解決するための手段】
【０００７】
上記目的を達成するために、本発明は、熱交換器と、送風機と、室内空気を吸込む第１の吸込口および第２の吸込口と、前記熱交換器を介した空気を吹出す吹出口とを備えた室内機と、補助送風機と、室内空気を吸込む補助吸込口と、前記補助吸込口から吸込んだ空気を吹出す補助吹出口とを備えた補助機器とを有し、前記補助吸込口が前記第１の吸入口と前記第２の吸込口との間に配置され、前記補助吹出口が前記第１の吸込口に対向して配置されるように、前記補助機器は前記室内機に着脱自在に取付けられることを特徴とする。
【発明の効果】
【０００８】
本発明によれば、空気調和機の吸込口に対向する位置に補助機器の吹出口を取り付けることにより空気調和機の送風量が増加し空調能力の向上を図ることが出来る。
【図面の簡単な説明】
【０００９】
【図１】本発明の実施の形態１に係る空気調和機の横断面図
【図２】本発明の実施の形態１に係る空気調和機の補助機器の斜視図およびその部分拡大図
【図３】本発明の実施の形態１に係る空気調和機の補助機器の取付け部の拡大図
【図４】本発明の実施の形態１に係る空気調和機の前面パネル開時の側面図
【図５】本発明の実施の形態１に係る空気調和機の補助機器を床に設置した場合の側面図
【図６】本発明の実施の形態２に係る空気調和機の横断面図
【図７】従来の空気調和機の室内機の横断面図
【発明を実施するための形態】
【００１０】
第１の発明は、熱交換器と、送風機と、室内空気を吸込む第１の吸込口および第２の吸込口と、前記熱交換器を介した空気を吹出す吹出口とを備えた室内機と、補助送風機と、室内空気を吸込む補助吸込口と、前記補助吸込口から吸込んだ空気を吹出す補助吹出口とを備えた補助機器とを有し、前記補助吸込口が前記第１の吸入口と前記第２の吸込口との間に配置され、前記補助吹出口が前記第１の吸込口に対向して配置されるように、前記補助機器は前記室内機に着脱自在に取付けられることを特徴とする。
【００１１】
この構成にすることにより、室内機本体の送風機に加え、補助機器の送風機が空気を吸込み、室内機の本体の吸込口に吹出すことにより室内機本体の吸込み量が増えることにより、送風量が増え空調能力を高めることが出来る。また着脱自在としたことで室内機本体と切り離して室内に設置し補助送風機として使用できる。
【００１２】
第２の発明は、第１の発明において、補助機器は、前記補助送風機を内蔵する筐体から突出する据付具を備え、前記室内機の前面あるいは上面に着脱自在に取付けられることを特徴とする。
【００１３】
この構成により、熱交換器の形態にかかわらず、吸込み効果が最大限発揮される位置に補助機器を取り付けることが出来る。
【００１４】
第３の発明は、第１または第２の発明において、補助機器が前記室内機に取り付けられた場合に、前記補助吹出口から吹出される空気は、前記第１の吸込口の上方に向けて吹出されることを特徴とする。
【００１５】
室内機の本体の吸込口の上方に吹出すことで、室内機本体の吸込み量が増えることにより、送風量が増え空調能力を高めることが出来る。
【００１６】
第４の発明は、第１〜第３の発明のいずれか１つの発明において、補助機器が前記室内機から取り外され、前記室内機が空調する空間に設置された場合に、前記補助送風機は前記室内機に連動して回転し、前記補助吸込口から吸込んだ空気を前記補助吹出口から吹出すことで、前記空間の空気を循環させることを特徴とする。
【００１７】
これにより、室内のすみまで気流を到達することが出来、室内の住環境を向上させることが出来る。
【００１８】
第５の発明は、第２の発明の据付具は、前記筐体に設けられラッチ機構を備えた軸と軸止されていることを特徴とする。
【００１９】
これにより、前面パネル前面に補助機器を取付けた時、補助機器を前方に開き、前面パネルも開くことによりフィルタを取外して掃除をすることができる。
【００２０】
以下、本発明の実施の形態について図面を参照しながら説明する。なお、この実施の形
態によって本発明が限定されるものではない。
【００２１】
（実施の形態１）
図１は本発明の実施の形態１に係る空気調和機の室内機および補助機器の横断面図である。本発明の空気調和機は、室内機１と室外機（図示せず）とが、接続配管等によって接続されたいわゆるセパレート型の空気調和機であり、室内機１に補助機器２１を備えたものである。
【００２２】
室内機１は、壁に取り付けるための台枠２と、前面グリル３と、前面グリル３に取り付けられた前面パネル４とで、本体の外装を構成している。室内機１は、その本体内部に熱交換器５と、送風ファン（本発明における送風機）６とを有している。熱交換器５は、送風ファン６の上流側（送風ファン６による風の流れの風上側）に配置され、送風ファン６の前面に位置する前面熱交換器や送風ファン６の背面に位置する背面熱交換器等から構成されている。
【００２３】
室内機１は、その本体の前面上部と上面に上面開口部（本発明における第１の吸込口）３ａが形成されている。また、本体の前面下方には、前面開口部３ｂ（本発明における第２の吸込口）が形成されている。さらに、前面開口部３ｂの下方から本体の下面にかけて吹出グリル９が形成されている。吹出グリル９には、吹出口７が形成されている。送風ファン６と吹出口７の間には、送風路１０が形成されている。
【００２４】
前面パネル４は、前面グリル３との間に空間を有するように設けられるともに、上部に設けられた回転軸（図示せず）を中心に、上方に開くことが可能となっている。
【００２５】
また、室内機１は、吹出口７を開閉するとともに空気の吹き出し方向を上下に変更する上下風向変更羽根８を備えている。上下風向変更羽根８は、孤を描く横断面形状であり、一方の面は湾曲凹面が形成され、他方の面は湾曲凸面が形成されている。吹出口７の上流側（送風ファン６側）には、空気の吹き出し方向を左右に変更する左右風向変更羽根を備えている。
【００２６】
また、上面開口部３ａ及び前面開口部３ｂと熱交換器５との間には、上面開口部３ａ及び前面開口部３ｂから取り入れられた室内空気に含まれる塵埃を除去するためのフィルタ１１が設けられている。
【００２７】
空気調和機が運転を開始すると、上下風向変更羽根８が開くように駆動されて吹出口７を開放する。送風ファン６が駆動されることで、室内空気は上面開口部３ａ及び前面開口部３ｂから室内機１の内部に取り入れられる。そして、取り入れられた室内空気は、熱交換器５で熱交換を行い、送風ファン６を通過して、送風路１０を介して、吹出口７より吹き出される。
【００２８】
本実施の形態に係る空気調和機は、室内機１の前面に、着脱自在な補助機器２１を備えている。補助機器２１は、前面パネル４の上下方向長さを覆う高さと、室内機１の幅方向長さ以下の幅と、前面グリル３と前面パネル４とに設けられた隙間と同等の奥行きを有している。
【００２９】
補助機器２１は、室内機１に取り付けられた場合に、室内機１の前方側に位置する前面ケース２２と、前面パネル４に対向する側に位置する背面ケース２３とを嵌合させることにより、筐体２４が構成されている。
【００３０】
前面ケース２２の中央部から下部にかけては、複数のスリット等から構成される補助吸
込口２２ａが形成されており、背面ケース２３の上端部には、補助吹出口２３ａが形成されている。
【００３１】
筐体２４の内部には、筐体２４の幅方向に軸を有するファン（本発明における補助送風機）２５と、ファン２５を駆動するモーター（図示せず）、モーターを制御する電装部および電源回路（図示せず）等を収納している。そして、筐体２４の内部には、補助吸込口２２ａからファン２５を介して補助吹出口２３ａへ空気が流れる送風路が形成されている。
【００３２】
補助機器２１について、図２を用いて、さらに詳しく説明する。図２は、補助機器２１を背面側からみた斜視図およびその部分拡大図である。
【００３３】
図２に示すように、補助吹出口２３ａは、補助機器２１の上方に幅方向に長く形成されている。
【００３４】
また、筐体２４の上方には、室内機１へと取り付けるための据付具２６を備えている。据付具２６は、筐体２４の両端に位置し筐体２４の背面側に突出するアーム部２６ａと、アーム部２６ａの一端側に設けられ筐体２４に取り付けるための固定孔２６ｂと、アーム部２６ａの他端側に設けられ室内機１に取り付けるための取り付け孔２６ｃと、２つのアーム部２６ａを互いに連結する補強板２６ｄとを備えている。
【００３５】
据付具２６は、固定孔２６ｂを、前面ケース２２の両側面に設けた固定軸２２ｂに軸止することにより、筐体２４に取り付けられている。また、前面ケース２２の固定軸２２ｂはラッチ機構（図示せず）を備えており、筐体２４は据付具２６の固定孔２６ｂを中心として数段階の角度で、据付具２６に対する取り付け角度を変更することが出来る。
【００３６】
図３を用いて、補助機器２１の室内機１への取り付けについて説明する。図３は、補助機器２１の取付け部の拡大図である。
【００３７】
室内機１の前面上部、つまり、前面グリル３の天部両側には、凹部が設けられており、さらにその凹部には可とう性を有するフック形状の爪３ｃが設けられている。補助機器２１の据付具２６のアーム部２６ａの端部を室内機１の凹部に挿入し、取り付け孔２６ｃを爪３ｃと嵌合させることで、補助機器２１は、前面パネル４の前面に取り付けられる。なお、アーム部２６ａは、前面パネル４を介して室内機１の前面上部に取り付けるのに十分な長さを有している。
【００３８】
図１に示すように、補助機器２１が室内機１に取り付けられた際には、補助機器２１の上部は前面パネル４の上端より上方へ突出する。そして、補助機器２１の背面側に設けられた補助吹出口２３ａは、前面パネル４の上方で開口し、室内機１の上面開口部３ａのうち、室内機１の前面上部に位置する傾斜部分と対向するように取り付けられる。また、補助吹出口２３ａは、上面開口部３ａの前端部に位置するように取り付けられる。
【００３９】
また、補助機器２１の補助吸込口２２ａは、室内機１の上面開口部３ａと前面開口部３ｂとの間に位置する。
【００４０】
図４に示すように、補助機器２１は、筐体２４を据付具２６の固定孔２６ｂを中心として手前に引き上げ、取り付け角度を変更することができる。そして、固定軸２２ｂはラッチ機構を備えていることにより、補助機器２１も、前面パネル４を筐体２４から上方に開いた場合と同等の角度まで開くとともに、その状態で保持することができる。これによって、フィルタ１１を取外すことが出来るスペースを確保し、フィルタ１１の掃除をするこ
とが容易となる。
【００４１】
補助機器２１が室内機１に取り付けられた際の動作について説明する。補助機器２１は室内機１より運転指示を受けるとファン２５が回転し、補助吸込口２２ａから室内空気を吸引し、その空気を補助吹出口２３ａから、室内機１の上面開口部３ａに向かって吹出す。
【００４２】
一方、上述のように、室内機１においては、送風ファン６が駆動されることで、室内空気は上面開口部３ａ及び前面開口部３ｂから室内機１の内部に取り入れられ、熱交換器５、送風ファン６を通過して、送風路１０を介して、吹出口７より吹き出される。
【００４３】
この際、室内機１の送風ファン６によって上面開口部３ａから吸引されていた空気に、補助機器２１の補助吹出口２３ａから吹出される空気が加わることになり、室内機１の送風量が増加し空調能力の向上を図ることが出来る。
【００４４】
特に、本実施の形態の構成では、補助吸込口２２ａは、補助吸込口２２ａは室内機１の天面に対してほぼ垂直な方向に開口するとともに、上面開口部３ａの傾斜部分（室内機１の前面上部）に対しては、対向するように開口している。このため、上面開口部３ａの傾斜部分には、直接的に空気を吹出せる。また、補助機器２１は、上面開口部の水平部分（室内機の上面）の上方に、平行に空気を吹出すことができる。これにより、送風ファン６に負荷をかけることなく、効率的に、室内機１の吸込み量を増やすことができ、空調能力を高めることが出来る。
【００４５】
また、補助機器２１の補助吸込口２２ａは、室内機１の上面開口部３ａと前面開口部３ｂとの間に位置するため、補助機器２１が補助吸込口２２ａから吸込む室内空気の流れと、室内機１が吸込む室内空気の流れとが互いに干渉することがないので、効率的に、室内機の吸込み量を増やすことができ、空調能力を高めることが出来る。
【００４６】
また、補助機器２１の送風路は、前面グリル３と前面パネル４とに設けられた隙間と同等の奥行きを有しているため、補助機器２１内の空気の流れの抵抗となることもなく、かつ、室内機１の前面開口部３ｂから吸込まれる空気の流れに干渉するほどの大量の空気を補助機器２１が吸込むこともない。
【００４７】
次に、補助機器２１が室内機１から取り外された際の動作について説明する。室内機１に設けられた爪３ｃは、可とう性を有するため、補助機器２１の取り付け孔２６ｃとの嵌合を外すことで、補助機器２１は室内機１から容易に取り外すことができる。
【００４８】
室内機１を広い部屋に設置した場合などでは、室内機１より吹出した空気の流速が足りず、部屋の隅などに空気調和された空気が到達しないエリアが発生する場合がある。あるいは、部屋の中に障害物がある場合には、障害物の背後に空気調和された空気が到達しない場合がある。
【００４９】
このような場合には、図５に示すように、使用者は、補助機器２１を室内機１より取り外し、空気調和された空気が到達する地点の床などに設置する。補助機器２１を取り外して床に置く場合には、補助機器２１は、室内機１に取り付けていた場合と上下を逆転させ、据付具２６を下方にして置く。これにより、据付具２６のアーム部２６ａが補助機器２１の脚となり、補助機器２１が転倒するのを防止できる。
【００５０】
補助機器２１を室内機１から取り外すことで、使用者は、補助機器２１をサーキュレータとして使用することができる。つまり、補助機器２１のファン２５を回転することによ
り、補助機器２１は、室内機１の吹出口７から吹出された空気調和された空気を補助吸込口２２ａから吸込み、補助吹出口２３ａから、吹出口７の吹出し方向と異なる方向に吹出すことができる。このため、部屋の隅まで、空気調和された空気を到達させることが出来る。
【００５１】
これにより、空気調和機の暖房運転時には、足元が寒い箇所にも暖気を運ぶことができる。また、冷房運転時には足元が冷えすぎるのを防止することが出来る。
【００５２】
なお、本実施の形態においては、前面パネル４は室内機１の前面に対して前後に可動しないものとして説明したが、パネル駆動機構を設け、前面開口部３ｂから離間するものであってもよい。この場合には、前面パネル４の離間動作を妨げないように、据付具２６のアーム部２６ａの長さを十分に長くすればよい。ただし、据付具２６の強度を容易に確保する点においては、室内機１の前面パネル４は、前面に対して前後に可動しない方が、アーム部２６ａの長さを短くできるので望ましい。
【００５３】
以上のように、本実施の形態では、補助機器２１を室内機１に取り付けることにより、室内機１の送風量が増加させることができ、空調能力の向上を図ることが出来る。また、室内機１から取り外して室内に設置し、室内機１と連動させ、補助機器２１のファン２５を回転させることにより、部屋の隅まで気流を届けることができ、室内の住環境を向上させることが出来る。
【００５４】
（実施の形態２）
図６は、本発明の実施の形態２に係る空気調和機の室内機および補助機器の横断面図である。本実施の形態２が実施の形態１と異なる点は、補助機器２１は室内機１の前面パネル４とフィルタ１１との間、つまり、前面グリル３の上面に取り付けられる点である。
【００５５】
補助機器２１を室内機１に取り付けた際には、前面パネル４と補助機器２１の前面ケース２２との間とに空間を設けるように設置すれば、補助機器２１が吸込む室内空気の量を十分に確保でき、実施の形態１と同様に、室内機１の吸込み量を増やすことができ、空調能力を高めることが出来る。
【００５６】
また、前面パネル４を上部に設けられた回転軸（図示せず）を中心に、斜め上方に開くことで、補助機器２１は室内機１から取り外すことができる。そして、補助機器２１を取り外した場合には、実施の形態１と同様に、室内機１と連動させて、補助機器２１のファン２５を回転させることにより、部屋の隅まで気流を届けることができ、室内の住環境を向上させることが出来る。
【００５７】
以上のように、本実施の形態では、補助機器２１を室内機１に取り付けることにより、室内機１の送風量が増加させることができ、空調能力の向上を図ることが出来る。また、室内機１から取り外して室内に設置し、室内機１と連動させ、補助機器２１のファン２５を回転させることにより、部屋の隅まで気流を届けることができ、室内の住環境を向上させることが出来る。
【産業上の利用可能性】
【００５８】
以上のように本発明に係わる空気調和機は、補助機器を搭載することにより吸込み風量を増やし、快適な住空間を実現する空気調和機として有用である。
【符号の説明】
【００５９】
１  室内機
２  台枠
３  前面グリル
３ａ  上面開口部
３ｂ  前面開口部
４  前面パネル
５  熱交換器
６  送風ファン
７  吹出口
８  上下風向変更羽根
９  吹出グリル
１０  送風路
１１  フィルタ
２１  補助機器
２２  前面ケース
２２ａ  補助吸込口
２３  背面ケース
２３ａ  補助吹出口
２４  筐体
２５  ファン
２６  据付具
２６ａ  アーム部
２６ｂ  固定孔
２６ｃ  取り付け孔
２６ｄ  補強板
【図１】
2015021639.tif 000003
【図２】
2015021639.tif 000004
【図３】
2015021639.tif 000005
【図４】
2015021639.tif 000006
【図５】
2015021639.tif 000007
【図６】
2015021639.tif 000008
【図７】
2015021639.tif 000009